(57)【要約】【課題】 この発明は構造が簡単で、コスト的にも安価に製造出来、且つ、誰もが簡単、且つ、迅速・確実にターンバックルのネジ清掃用アタッチメント及びそのネジ清掃方法を開発・提供する事にある。【解決手段】 土木建設現場等で使用されるターンバックルのネジ部に付着した、モルタル等の付着物を清掃除去するために、ターンバックルの両端部に螺着されたフック部に挿着係止して、電動ドリル等の回転手段を利用して左右方向に回転させながら、付着物を取り除くためのネジ清掃用アタッチメントであって、該ネジ清掃用アタッチメントは、先端部にターンバックルの両端部に螺着して設けた、フック部に挿着係止して、ネジ部を回転可能に設けた係止部と、後端部に電動ドリル等の左右回転切り替え機能付回転手段の先端部に設けた、回転支軸穴部に軸着可能な支軸部をそれぞれ設けた連結部材から成ることを特徴とするものである。【選択図】  図１
2015037816.tif 000002
【特許請求の範囲】
【請求項１】
土木建設現場等で使用されるターンバックルのネジ部に付着した、モルタル等の付着物（Ｍ）を清掃除去するために、ターンバックル（ＴＢ）の両端部に螺着されたフック部（ＴＢ'）に挿着係止して、電動ドリル等の回転手段（ＥＤ）を利用して、左右方向に回転させながら、付着物（Ｍ）を取り除くためのネジ清掃用アタッチメントであって、該ネジ清掃用アタッチメント（１）は、先端部にターンバックル（ＴＢ）の両端部に螺着して設けたフック部に挿着係止して、ネジ部を回転可能に設けた係止部（２）と、後端部に電動ドリル等の左右回転切り替え機能付回転手段（ＥＤ）の先端部に設けた回転支軸挿着穴部（ＥＤ'）に、軸着可能な支軸部（３ａ）をそれぞれ設けた連結部材（３）から成ることを特徴とするターンバックルのネジ清掃用アタッチメント。
【請求項２】
ネジ清掃用アタッチメントの係止部の一方側に、アイ型ターンバックルの外径寸法に適合した所定寸法の切欠き部（２ｃ）を設けて、フック型ターンバックル、及び、アイ型ターンバックルのそれぞれに兼用可能に設けたことを特徴とする請求項１記載のネジ清掃用アタッチメント。
【請求項３】
ターンバックル（ＴＢ）のネジ部（ＴＢ"）に付着した、モルタル等の付着物を清掃時は、ターンバックルの両端部に螺着されたフック（ＴＢ'）に、ネジ清掃用アタッチメントの一方側係止部（２）を挿着して設け、且つ、他方側連結部材（３）の支軸部（３ａ）に、電動ドリル等の左右回転切り替え機能付回転手段（ＥＤ）を軸着して設け、且つ、ターンバックル（ＴＢ）の本体を一方側の手で固定し、他方側の手で回転手段（ＥＤ）の回転切り替えスィッチを左右に切り替えながら、ターンバックルのネジ部（ＴＢ"）を左右回転させ、上下移動させながらネジ部（ＴＢ"）に付着したモルタル等の付着物（Ｍ）を清掃除去させることを特徴とするネジ清掃方法。
【発明の詳細な説明】
【技術分野】
【０００１】
この発明は、土木建設現場等で使用される、ターンバックルのネジ清掃用アタッチメント及びそのネジ清掃方法に関するものである。
【背景技術】
【０００２】
本来、ターンバックルとは、ロープや、ワイヤーや、タイロッドなどの張力を調整する装置であって、土木建設現場等で多く使用されている。このターンバックルは金属製の本体胴部の両端にネジ山が切られていて、そのネジの先端部にロープやワイヤーを引っ掛ける為のフックが取り付けられていて、一方側は右ネジ、他方側は左ネジ（逆ネジ）に形成されていて、この本体胴部を左方向、或いは、右方向に回転させることで、両端に取り付けられたボルトが締め込まれ（或いは緩められ）、張力を調整することが出来るというものである。しかし、このターンバックルの弱点はネジ部にモルタル等が付着して、固まると動かなくなり、使用が出来なくなるという問題がある。
【０００３】
特に、土木建設現場では、モルタルが多く使用されている為、注意して使用していても、モルタルの付着は避けられない。従って、モルタルが付着して、動かなくなったターンバックルは、定期的に時間をかけて入念にネジ部の清掃が行われていた。
【０００４】
そこで、これまで行っていたターンバックルのネジ部の清掃を、誰もが簡単、且つ、迅速・確実に行える、ターンバックルのネジ清掃用アタッチメント及びそのネジ清掃方法を早期に開発することが望まれている。
【先行技術文献】
【特許文献】
【０００５】
そこで、これまでに出願されている、ターンバックルのネジ清掃用アタッチメントに関する特許文献を参考の為、紹介する（特許文献１参照）。
【特許文献１】実用新案登録第３１７８３３４号
【０００６】
上記、特許文献のターンバックル着脱ホルダーは、ターンバックルに螺着された、アイボルト状のフック付ボルトのフック部に挿入して、風雨に晒され続けた結果錆び付いた型枠の解体に伴って、回収する為に使用するソケット状の着脱ホルダーであって、本発明とは使用目的や効果がそれぞれ異なるものである。
【０００７】
又、本発明のターンバックルのネジ清掃用アタッチメントは、鍵状のフックを有するターンバックルに引っ掛け挿着して使用するもので、上記のものと形状が全く異なり、使用目的や効果もそれぞれ異なる。
【発明の開示】
【発明が解決しようとする課題】
【０００８】
そこで、上記課題を解決する為に、この発明は構造が簡単で、コスト的にも安価に製造出来、且つ、誰もが簡単、且つ、迅速・確実にターンバックルのネジ清掃用アタッチメント及びそのネジ清掃方法を開発・提供する事にある。
【課題を解決するための手段】
【０００９】
この課題を解決する為の手段として、土木建設現場等で使用されるターンバックルのネジ部に付着した、モルタル等の付着物を清掃除去するために、ターンバックルの両端部に螺着されたフック部に挿着係止して、電動ドリル等の回転手段を利用して左右方向に回転させながら、付着物を取り除くためのネジ清掃用アタッチメントであって、該ネジ清掃用アタッチメントは、先端部にターンバックルの両端部に螺着して設けた、フック部に挿着係止して、ネジ部を回転可能に設けた係止部と、後端部に電動ドリル等の左右回転切り替え機能付回転手段の先端部に設けた、回転支軸穴部に軸着可能な支軸部をそれぞれ設けた連結部材から成ることを特徴とするものである。
【発明の効果】
【００１０】
この発明の効果として、ネジ清掃用アタッチメントは、先端部にターンバックルの両端部に螺着して設けた、フック部に挿着係止して、ネジ部を回転可能に設けた係止部と、後端部に電動ドリル等の左右回転切り替え機能付回転手段の先端部に設けた、回転支軸挿着穴部（チャック部）（ＥＤ'）に、軸着可能な支軸部をそれぞれ設けた連結部材から成り、且つ、ネジ清掃用アタッチメントをターンバックルの両端部に螺着されたフック部に挿着係止して、電動ドリル等の回転手段を利用して、左又は右方向に回転切り替えさせながら上下移動させる事で、簡単、且つ、迅速・確実にモルタル等の付着物を取り除くことが出来る。又、本発明は構造が簡単で軽量で誰もが容易に取り扱え、しかも、コスト的に安価で耐久性が良く、作業性が優れ、且つ、作業現場での対応が可能な為、持ち帰りの手間が省ける為、作業効率が省け経済的である等、極めて有益なる効果を奏するものである。
【図面の簡単な説明】
【００１１】
【図１】この発明の一実施例を示し、（Ａ）はネジ清掃用アタッチメントの平面図で、（Ｂ）は正面図で、（Ｃ）は図１（Ｂ）のｂ-ｂ矢視断面図である。
【図２】この発明の一実施例を示し、（Ａ）はネジ清掃用アタッチメントの右側面図で、（Ｂ）は左側面図で、（Ｃ）は図１（Ｂ）のｃ-ｃ矢視断面図で、（Ｄ）は図１（Ａ）のａ-ａ矢視断面図である。
【図３】この発明の使用例を示し、取り扱い説明用斜視図である。
【図４】この発明のその他の実施例を示し、（Ａ）はアイ型用ネジ清掃用アタッチメントの平面図で、（Ｂ）は正面図で、（Ｃ）は図１（Ｂ）のｄ-ｄ矢視断面図である。
【発明を実施するための形態】
【００１２】
この発明を実施するための形態として、土木現場等で使用されるターンバックルのネジ部に付着した、モルタル等の付着物（Ｍ）を清掃除去するために、ターンバックル（ＴＢ）の両端部に螺着されたフック部（ＴＢ'）に挿着係止して、電動ドリル等の回転手段（ＥＤ）を利用して左右方向に回転させながら、付着物（Ｍ）を取り除くためのネジ清掃用アタッチメントであって、該ネジ清掃用アタッチメント（１）は、先端部にターンバックル（ＴＢ）の両端部に螺着して設けたフック部に挿着係止して、ネジ部を回転可能に設けた係止部（２）と、後端部に電動ドリル等の左右回転切り替え機能付回転手段（ＥＤ）の先端部に設けた回転支軸挿着穴部（ＥＤ'）に、軸着可能な支軸部（３ａ）をそれぞれ設けた連結部材（３）から成ることを特徴とするターンバックルのネジ清掃用アタッチメントから構成される。
【実施例１】
【００１３】
そこで、この発明の一実施例を図１〜図２に基づいて詳述すると、まず、図１（Ａ）はネジ清掃用アタッチメント（１）の平面図を示し、図１（Ｂ）は正面図を示し、図１（Ｃ）は図１（Ｂ）のＢ−Ｂ矢視断面図を示し、ネジ清掃用アタッチメント（１）の先端側には、ターンバックル（ＴＢ）のフック部（ＴＢ'）に挿着可能な長穴状のフック挿入穴部（２ａ）を設けた係止部（２）と、後端側には左右回転切り替え機能付電動ドリル等の回転手段（ＥＤ）の先端チャック部に、軸支可能な支軸部（３ａ）を設けた連結部材（３）を皿ビス等の係止部材（ＳＢ）で連結して設けたものである。
【００１４】
又、図２（Ａ）はネジ清掃用アタッチメント（１）の右側面図を示し、（Ｂ）は左側面図を示し、（Ｃ）は図１（Ｂ）のＣ−Ｃ矢視断面図を示し、（Ｄ）は図１（Ａ）のＡ−Ａ矢視断面図を示したものである。
【００１５】
尚、前記ネジ清掃用アタッチメント（１）は、係止部（２）と連結部材（３）を皿ビス等の係止部材（ＳＢ）で連結して形成されているが、製造コストや、品質・性能や、納期等、製造販売状況に応じて、例えば係止部（２）と連結部材（３）を一体に形成して設けても構わない。
【００１６】
又、前記ネジ清掃用アタッチメント（１）の係止部と連結部材の、連結用の雌ネジ部（２ｂ）と雄ネジ部（３ｂ）は、それぞれ右ネジが切られ、更に、緩み防止用として連結部材の先端軸部に左ネジ（逆ネジ）の雌ネジが切られ、係止部と連結部材間を、左ネジの皿ビス（ＳＢ）で螺着して設け、更にそれぞれのネジ部には強力な緩み防止用の接着材が塗布されていて、振動や衝撃等によるネジの緩みを防止している。
【００１７】
次に、本発明のターンバックルのネジ清掃方法について詳述すると、図３の斜視図に示すように、ターンバックル（ＴＢ）のネジ部（ＴＢ"）に付着した、モルタル等の付着物を清掃時は、ターンバックルの両端部に螺着されたフック（ＴＢ'）に、ネジ清掃用アタッチメントの一方側係止部（２）を挿着して設け、且つ、他方側連結部材（３）の支軸部（３ａ）に、電動ドリル等の左右回転切り替え機能付回転手段（ＥＤ）を軸着して設け、且つ、ターンバックル（ＴＢ）の本体を一方側の手で固定し、他方側の手で回転手段（ＥＤ）の回転切り替えスィッチを左右に切り替えながら、ターンバックルのネジ部（ＴＢ"）を左右回転させ、上下移動させながらネジ部（ＴＢ"）に付着したモルタル等の付着物（Ｍ）を、清掃除去させるものである。
【００１８】
そして、当然ながら、付着物（Ｍ）を清掃除去後は、ネジの回転を円滑に作動させ、且つ、錆等による作動不良を防止する為、ネジ部全面に潤滑油を塗布して保管する。
【実施例２】
【００１９】
その他の事例として、アイ型用ターンバックルを使用した土木建設現場では、図４（Ａ）（Ｂ）（Ｃ）に示すように、フック状に形成したネジ清掃用アタッチメントを使用すれば、誰もが容易に着脱可能で、しかも、実施例１に示すフック状のターンバックにも適用できる為、非常に便利である。
【００２０】
又、アイ型用ネジ清掃用アタッチメントを使用して、アイ型ターンバックルのネジを清掃時は、アイ型用ネジ清掃用アタッチメントの切欠き部（２ｃ）をアイ型ターンバックルの穴に挿通し、前記実施例１と同様に清掃作業を行う。
【産業上の利用可能性】
【００２１】
この発明のターンバックルのネジ清掃用アタッチメント及びそのネジ清掃方法は、構造が簡単で、コスト的にも安価に製造出来、且つ、誰もが簡単、且つ、迅速・確実にターンバックルのネジ清掃が可能な為、多くの土木建設市場に寄与する点で産業上の利用可能性を有する。
【符号の説明】
【００２２】
１  ネジ清掃用アタッチメント
１'  アイ型用ネジ清掃用アタッチメント
２  係止部
２'  係止部
２ａ  フック挿入穴部
２ａ'  フック挿入穴部
２ｂ  雌ネジ部（右ネジ）
２ｂ'  座繰り部
２ｂ"  座繰り部
２ｃ  切欠き部
３  連結部材
３'   連結部材
３ａ  支軸部
３ａ'  支軸部
３ｂ  雄ネジ部（右ネジ）
３ｂ'  雄ネジ部（右ネジ）
３ｃ  雌ネジ部（左ネジ）
３ｃ'  雌ネジ部（左ネジ）
ＳＢ  皿ビス（左雄ネジ）
ＴＢ  ターンバックル
ＴＢ'  ターンバックルのフック部
ＴＢ"  ターンバックルのネジ部
Ｍ  モルタル等の付着物
ＥＤ  電動ドリル等の左右回転切り替え機能付回転手段
【図１】
2015037816.tif 000003
【図２】
2015037816.tif 000004
【図３】
2015037816.tif 000005
【図４】
2015037816.tif 000006